(57)【要約】【課題】  カメラのレンズに衝撃が加えられてカメラの固定部が破壊されても、撮像を継続して実施可能な簡易な構造のインターホン機器のカメラ取付構造を提供する。【解決手段】  カメラ２のレンズ２１周囲の３箇所に、カメラ２をケース１に固定するためのネジ７を挿通するネジ挿通部２４ａを備える一方、カメラ窓１４周囲のケース内面Ｑに、ネジ７を螺入するネジ受け部材１５をネジ挿通部２４ａに合わせて設け、ネジ受け部材１５は筒状に形成されてケース内面Ｑから後方に向けて突設し、複数のネジ受け部材１５のうちの１つのみが基端部に加えて基端部に連続する側部の一部Ｐもケース１と一体に形成し、他のネジ受け部材１５は基端部のみケース１と一体に形成した。【選択図】  図６
2018050250.tif 000002
【特許請求の範囲】
【請求項１】
ケースの前面に開設されたカメラ窓にカメラのレンズを露出させた状態で、前記ケースのカメラ窓周囲に前記カメラを固定したインターホン機器のカメラ取付構造であって、
前記カメラのレンズ周囲複数箇所には、カメラをケースに固定するためのネジを挿通するネジ挿通部が設けられる一方、
前記カメラ窓周囲のケース内面には、前記ネジを螺入するネジ受け部材が前記ネジ挿通部に合わせて設けられ、
前記ネジ受け部材は筒状に形成されて、前記ケース内面から後方に向けて突設されて成り、
複数の前記ネジ受け部材のうちの１つのみが、基端部に加えて基端部に連続する側部の一部も前記ケースと一体に形成されている複連結ネジ受け部材であると共に、他の前記ネジ受け部材は基端部のみ前記ケースと一体に形成されている単連結ネジ受け部材であることを特徴とするインターホン機器のカメラ取付構造。
【請求項２】
複数の前記ネジ受け部材のうち、前記ケースを壁面に設置した際に最上部に配置されるネジ受け部材が、前記複連結ネジ受け部材であり、
且つ前記複連結ネジ受け部の前記ケースに一体形成される側部は、前記レンズに対して最遠部となる側部であることを特徴とする請求項１記載のインターホン機器のカメラ取付構造。
【発明の詳細な説明】
【技術分野】
【０００１】
本発明は、カメラを備えたインターホン機器に関し、特にそのカメラ取付構造に関する。
【背景技術】
【０００２】
居住者を呼び出すための玄関子機や集合玄関機等のインターホン機器には、来訪者を撮像するカメラが取り付けられたものが普及している。このインターホン機器に使用されるカメラは、撮像できない死角が無いのが好ましいため、例えば１８０度といった広角のエリアを撮像するものが好ましく、その場合カメラのレンズがケース前面より突出した形状となった。
このようなカメラを備えたインターホン機器の場合、不審者等が悪意を持ってカメラを壊そうとインターホン機器のレンズ部を叩いたりすると、カメラ自体が壊れなくてもカメラの取付部が破壊されてカメラがケース内に入り込んでしまい、撮像すべきエリアを撮像出来なくなることがあった。そのため、例えば特許文献１に記載されたような対策が成された。
【０００３】
特許文献１では、レンズが一体化されたカメラをケースに固定するネジにコイルバネを配置して、前後方向の遊びを持たせた状態でカメラを前方へ付勢した状態を維持させ、前方からハンマー等で叩かれるといった破壊操作がなされたらコイルバネの弾性によりカメラがケース内へ移動することで破壊されるのを防ぎ、撮像の継続を可能とした。
【先行技術文献】
【特許文献】
【０００４】
【特許文献１】特開２０１５−１８５９２４号公報
【発明の概要】
【発明が解決しようとする課題】
【０００５】
上記カメラの取り付けに遊びを持たせた構造は、カメラ及びその取付部が破壊されるのを防ぐことができたが、複数のコイルバネが必要であるしネジ止めする嵌合部の構造も複雑となったため、コスト高な構造となっていた。
【０００６】
そこで、本発明はこのような問題点に鑑み、カメラのレンズに衝撃が加えられてカメラの固定部が破壊されても、撮像を継続して実施可能な簡易な構造のインターホン機器のカメラ取付構造を提供することを目的としている。
【課題を解決するための手段】
【０００７】
上記課題を解決する為に、請求項１の発明は、ケースの前面に開設されたカメラ窓にカメラのレンズを露出させた状態で、ケースのカメラ窓周囲にカメラを固定したインターホン機器のカメラ取付構造であって、カメラのレンズ周囲複数箇所には、カメラをケースに固定するためのネジを挿通するネジ挿通部が設けられる一方、カメラ窓周囲のケース内面には、ネジを螺入するネジ受け部材がネジ挿通部に合わせて設けられ、ネジ受け部材は筒状に形成されて、ケース内面から後方に向けて突設されて成り、複数のネジ受け部材のうちの１つのみが、基端部に加えて基端部に連続する側部の一部もケースと一体に形成されている複連結ネジ受け部材であると共に、他のネジ受け部材は基端部のみケースと一体に形成されている単連結ネジ受け部材であることを特徴とする。
この構成によれば、前方からレンズを叩く等の衝撃が加わり、レンズがケース内部方向に加圧されると、ネジ受け部材の付け根に応力が集中してネジ受け部材の付け根がケースから剥がれる方向に応力が発生し、ネジ受け部材とケースとの連結状態の弱い部位から破壊されて剥がれる。しかしながら、複数設けられたネジ受け部材の１つが基端部に加えて基端部に連続する側部の一部もケースと一体に形成された複連結ネジ受け部材であるため、連結が強固であり最後まで連結状態を維持し、他のネジ受け部材が剥がれた段階でカメラが傾きレンズがカメラ窓内に入り込み完全な剥がれ脱落を防ぐことができる。これは、その後カメラに対する衝撃が継続されても、衝撃はレンズ周囲のケースが吸収し、レンズに対する応力が小さくなることによる。
そのため、１つだけ側部までケースに連結した複連結ネジ受け部材とすることで、最後まで剥がれずに残すよう構成する、逆に言えば他のネジ受け部材をケースから剥がれやすく形成することで、カメラを脱落等させずにその後も撮像を継続させることが可能となり、弾性部材等を用いることなく簡易な構造で撮像を継続して実施することが可能となる。
【０００８】
請求項２の発明は、請求項１に記載の構成において、複数のネジ受け部材のうち、ケースを壁面に設置した際に最上部に配置されるネジ受け部材が、複連結ネジ受け部材であり、且つ複連結ネジ受け部のケースに一体形成される側部は、レンズに対して最遠部となる側部であることを特徴とする。
この構成によれば、カメラ上部のネジ受け部材が最も剥がれ難く、他のネジ受け部材がケースから剥がれても、カメラの自重によりカメラは僅かに下を向く程度で済み、引き続き来訪者の撮像が可能となる。そして、複連結ネジ受け部材のケースに連結される側部は、レンズに対して最遠部であるため、他のネジ受け部材がケースから剥がれてカメラが傾いても、最もストレスが加わり難い部位がケースに連結されているため、連結状態を保持でき、完全な分離を回避できる。
【発明の効果】
【０００９】
本発明によれば、複数設けられたネジ受け部材の１つが基端部に加えて基端部に連続する側部の一部もケースと一体に形成された複連結ネジ受け部材であるため、前方からレンズを叩く等の衝撃が加わっても連結が強固であり最後まで連結状態を維持し、他のネジ受け部材が剥がれた段階でカメラが傾きレンズがカメラ窓内に入り込むことで完全な剥がれ脱落を防ぐことができる。
よって、１つだけ側部までケースに連結した複連結ネジ受け部材とすることで、最後まで剥がれずに残すよう構成する、逆に言えば他のネジ受け部材をケースから剥がれやすく形成することで、カメラを脱落等させずにその後も撮像を継続させることが可能となり、弾性部材等を用いることなく簡易な構造で撮像を継続して実施することが可能となる。
【図面の簡単な説明】
【００１０】
【図１】本発明に係るインターホン機器のカメラ取付構造の一例を示し、背蓋を外してカメラを露出させたケース本体を後方から見た斜視説明図である。
【図２】図１の状態で、カメラを外したケース本体の斜視説明図である。
【図３】ケースの外観図であり、（ａ）は正面図、（ｂ）は側面図である。
【図４】カメラの斜視図である。
【図５】ケース本体の部分拡大図であり、カメラ取付部を拡大したケース本体の背面説明図である。
【図６】ケース本体の部分断面図を示し、（ａ）は図５の Ａ−Ａ線断面図、（ｂ）はＢ−Ｂ線断面図である。
【発明を実施するための形態】
【００１１】
以下、本発明を具体化した実施の形態を、図面を参照して詳細に説明する。図１〜３は本発明に係るインターホン機器のカメラ取付構造の一例を示し、図１は背蓋や基板等を外してカメラを露出させたケース本体を後方から見た斜視説明図、図２はこの状態から更にカメラを外した状態を示している。そして、図３はケースの外観図を示し、（ａ）は正面図、図２（ｂ）は側面図を示している。
ケース１は、前面１１及び周囲側面１２を有して背部が開放され、カメラ２や図示しない基板等が収納されるケース本体１ａと、ケース本体１ａの開口された背部を閉塞する背蓋１ｂとを有し、ケース本体１ａの壁面に設置した際に上部となる前面１１の上部にカメラ２が配置され、カメラ２の下には呼び出し先情報等を表示するディスプレイ４、その下にスピーカ５、最下部には呼び出し先を入力するテンキー等の操作ボタン６が設けられている。
【００１２】
ケース本体１ａのカメラ取付部Ｒには、図２に示すように円形のカメラ窓１４が開設され、このカメラ窓１４にカメラ２のレンズを露出させてカメラ２が配置される。そして、ケース本体１ａの内面Ｑのカメラ窓１４の周囲３箇所に設けられたネジ受け部材１５にカメラ２がネジ７により固定される。
このカメラ取付部Ｒにカメラ２を取り付けることで、壁面にケース１を設置した際に、前方を向いたカメラ２が呼び出し操作する訪問者を撮像するよう構成されている。
【００１３】
図４はカメラ２の斜視図であり、カメラ２のレンズ２１はレンズホルダ２２に取り付けられ、レンズホルダ２２が撮像素子等が搭載された回路基板２３にネジ２５（図１に示す）により固定されている。
そして、レンズホルダ２２の周囲にカメラ２をケース本体１ａに取り付けるためのネジ挿通孔２４ａを備えた固定片２４が突設されている。固定片２４は、レンズ２１の周囲に３箇所形成され、ネジ挿通孔２４ａがレンズ２１を中心に等間隔で設けられている。
【００１４】
対応するケース本体１ａの内側には、図２に示すようにネジ７を螺入する孔１６が中心軸上に設けられた筒状のネジ受け部材１５が形成されている。ネジ受け部材１５はケース本体１ａの内面Ｑから後方に向けて突設され、ケース本体１ａに一体形成されている。
この固定片２４を介してネジ７がケース本体１ａのネジ受け部材１５に螺入され、カメラ２は周囲３箇所が連結固定される。
【００１５】
図５は図２に示すケース本体１ａの一部を拡大した背面図であり、図６（ａ）はＡ−Ａ線断面図、図６（ｂ）はＢ−Ｂ線断面図である。図６（ａ）はカメラ窓１４の中心Ｍ１から最上部に配置されたネジ受け部材１５の中心軸Ｍ２を通る線で切断した図であり、図６（ｂ）はカメラ窓１４の中心Ｍ１から最下部に配置されたネジ受け部材１５の中心軸Ｍ３を通る線で切断した図である。
尚、説明の都合上、３つのネジ受け部材１５のうち最上部に配置されているものを第１ネジ受け部材１５ａ、最下部に配置されているものを第２ネジ受け部材１５ｂ、中間位置に配置されているものを第３ネジ受け部材１５ｃとして説明する。
【００１６】
第１ネジ受け部材１５ａは、図６（ａ）に示すように、中心軸Ｍ２方向の基端部に加えて基端部に連続する側部の一部Ｐもケース本体１ａに連結して一体に形成している（この側部まで連結した構成を以下「複連結ネジ受け部材」とする）。そして、この一体化された側部の一部Ｐは、カメラ窓１４の中心Ｍ１から見た場合に外側となる部位であり、最遠部を一体化している。
【００１７】
一方、第２ネジ受け部材１５ｂは、図６（ｂ）に示すように、中心軸Ｍ３方向基端部のみがケース本体１ａと一体に形成され、周囲は連結されていない（この基端部のみ連結した構成を以下「単連結ネジ受け部材」とする）。
尚、残りの中間部の第３ネジ受け部材１５ｃは、第２ネジ受け部材１５ｂと同一の構成で単連結ネジ受け部材であるため説明を省略する。
【００１８】
このように形成されたネジ受け部材１５を設けたケース本体１ａにカメラ２が取り付けられている場合、前方からレンズ２１を叩く等の衝撃が加わり、レンズ２１がケース１の内部方向に加圧されると、ネジ受け部材１５の付け根に応力が集中して、ネジ受け部材１５の付け根がケース１から剥がれる方向に応力が発生する。その結果、ネジ受け部材１５とケース１との連結状態の弱い部位から破壊されて剥がれことになる。
しかしながら、３個設けられたネジ受け部材１５のうちの１つの第１ネジ受け部材１５ａが基端部に加えて基端部に連続する側部の一部Ｐもケースと一体に形成された複連結ネジ受け部材であるため、連結が強固であり最後まで連結状態を維持し、他のネジ受け部材１５が剥がれた段階でカメラ２が傾きレンズ２１がカメラ窓１４内に入り込み完全な剥がれ脱落を防ぐことができる。これは、その後カメラ２に対する衝撃が継続されても、衝撃はレンズ２１周囲のケース本体１ａが吸収し、レンズ２１に対する応力が小さくなることによる。
そのため、１つだけ側部までケース本体１ａに連結した複連結ネジ受け部材とすることで、最後まで剥がれずに残すよう構成する、逆に言えば他のネジ受け部材１５をケース本体１ａから剥がれやすく形成することで、カメラ２を脱落等させずにその後も撮像を継続させることが可能となり、弾性部材等を用いることなく簡易な構造で撮像を継続して実施することが可能となる。
【００１９】
そして、カメラ２上部の第１ネジ受け部材１５ａを複連結ネジ受け部材とすることで最も剥がれ難くでき、他の第２及び第３ネジ受け部材１５ｂ，１５ｃを単連結ネジ受け部材としてケース本体１ａから剥がれても、カメラ２の自重によりカメラ２は僅かに下を向く程度で済み、引き続き来訪者の撮像が可能となる。
加えて、複連結ネジ受け部材である第１ネジ受け部材１５ａのケース本体１ａに連結される側部は、レンズ２１に対して最遠部であるため、他の単連結ネジ受け部材がケース１から剥がれてカメラ２が傾いても、最もレンズ２１から遠くストレスが加わり難いネジ受け部材１５の側部がケース１に連結されているため、連結状態を保持でき、完全な分離を回避できる。
【００２０】
尚、上記実施形態は、カメラ窓１４の周囲３箇所にネジ受け部材１５を配置してカメラ２を３箇所ネジ止めしてケース本体１ａに連結固定しているが、ネジ止め箇所は上下２箇所のみであっても良いし、４箇所以上ネジ止めしても良い。何れの場合も、最上部に位置する１つのネジ受け部材１５を複連結ネジ受け部材とし、他のネジ受け部材１５を単連結ネジ受け部材とすることで、複連結ネジ止め部材の連結を維持させることができ、カメラ２がケース１内で脱落する事態を防止して訪問者の撮像を継続して実施することが可能となる。
【符号の説明】
【００２１】
１・・  ケース、１ａ・・ケース本体、２・・カメラ、７・・ネジ、１４・・カメラ窓、１５・・ネジ受け部材、１５ａ・・第１ネジ受け部材（複連結ネジ受け部材）、１５ｂ・・第２ネジ受け部材（単連結ネジ受け部材）、１５ｃ・・第３ネジ受け部材（単連結ネジ受け部材）、２１・・レンズ、Ｑ・・内面、Ｒ・・カメラ取付部。
【図１】
2018050250.tif 000003
【図２】
2018050250.tif 000004
【図３】
2018050250.tif 000005
【図４】
2018050250.tif 000006
【図５】
2018050250.tif 000007
【図６】
2018050250.tif 000008